(57)【要約】【課題】河川水や雨水などの汚水を良好に浄化することができる浄化装置を提供すること。【解決手段】本発明では、浄水機能を有するセラミックス（１１）に汚水（２）を接触させて汚水（２）の浄化を行う浄化装置（１）において、汚水（２）を貯留する貯水槽（３）の左右側壁（４，５）の上端部間に複数の支持体（８）を前後に間隔をあけて架設し、支持体（８）に可撓性を有する針金状の複数の吊具（９）を左右に間隔をあけて貯水槽（３）の底部まで吊下げ、吊具（９）にリング状のセラミックス（１１）を上下に間隔をあけて挿通させることにした。また、前記貯水槽（３）の左右側壁の上端部に前記支持体（８）を保持するための保持溝（７）を前後に間隔をあけて複数形成することにした。【選択図】図１
2011120963.tif 000002
【特許請求の範囲】
【請求項１】
浄水機能を有するセラミックスに汚水を接触させて汚水の浄化を行う浄化装置において、
汚水を貯留する貯水槽の左右側壁の上端部間に複数の支持体を前後に間隔をあけて架設し、支持体に可撓性を有する針金状の複数の吊具を左右に間隔をあけて貯水槽の底部まで吊下げ、吊具にリング状のセラミックスを上下に間隔をあけて挿通させたことを特徴とする浄化装置。
【請求項２】
前記貯水槽の左右側壁の上端部に前記支持体を保持するための保持溝を前後に間隔をあけて複数形成したことを特徴とする請求項１に記載の浄化装置。
【発明の詳細な説明】
【技術分野】
【０００１】
本発明は、浄水機能を有するセラミックスに汚水を接触させて汚水の浄化を行う浄化装置に関するものである。
【背景技術】
【０００２】
河川水や雨水などの水は、天然資源として豊富に存在しているものの、不純物を多く含有しているためにそのまま利用することが困難であることから、浄化装置を用いて浄化して利用するようにしている。
【０００３】
この河川水や雨水などの汚水を浄化する浄化装置は、様々な構成のものが開発されているが、その中でも安価に汚水を浄化できるものとして、浄水機能を有するセラミックスを用いた浄化装置が利用されている。
【０００４】
従来の浄水機能を有するセラミックスを用いた浄化装置としては、ケーシングの内部に粒状のセラミックスを充填し、ケーシングの内部に汚水を流し込み、ケーシングの内部で汚水とセラミックスとが接触することによって汚水を浄化させるようにしている（たとえば、特許文献１参照。）。
【先行技術文献】
【特許文献】
【０００５】
【特許文献１】特開２００２−１３６０号公報
【発明の概要】
【発明が解決しようとする課題】
【０００６】
ところが、上記従来の浄化装置では、ケーシングの内部を通過する汚水とセラミックスとを接触させることで汚水の浄化を行っているために、汚水とセラミックスとの接触時間が短く、汚水を良好に浄化させることが困難であった。
【課題を解決するための手段】
【０００７】
そこで、請求項１に係る本発明では、浄水機能を有するセラミックスに汚水を接触させて汚水の浄化を行う浄化装置において、汚水を貯留する貯水槽の左右側壁の上端部間に複数の支持体を前後に間隔をあけて架設し、支持体に可撓性を有する針金状の複数の吊具を左右に間隔をあけて貯水槽の底部まで吊下げ、吊具にリング状のセラミックスを上下に間隔をあけて挿通させることにした。
【０００８】
また、請求項２に係る本発明では、前記請求項１に係る本発明において、前記貯水槽の左右側壁の上端部に前記支持体を保持するための保持溝を前後に間隔をあけて複数形成することにした。
【発明の効果】
【０００９】
そして、本発明では、以下に記載する効果を奏する。
【００１０】
すなわち、本発明では、浄水機能を有するセラミックスに汚水を接触させて汚水の浄化を行う浄化装置において、汚水を貯留する貯水槽の左右側壁の上端部間に複数の支持体を前後に間隔をあけて架設し、支持体に可撓性を有する針金状の複数の吊具を左右に間隔をあけて貯水槽の底部まで吊下げ、吊具にリング状のセラミックスを上下に間隔をあけて挿通させているために、貯水槽に貯留した汚水とセラミックスとの接触時間を十分に確保することができ、汚水を良好に浄化することができる。
【００１１】
特に、貯水槽の左右側壁の上端部に支持体を保持するための保持溝を前後に間隔をあけて複数形成した場合には、貯水槽の内部に吊るすセラミックスの個数を増大させることができるので、汚水をより一層良好に浄化することができる。
【図面の簡単な説明】
【００１２】
【図１】浄化装置を示す正面断面図。
【図２】同側面断面図。
【図３】同部分拡大正面断面図。
【図４】同部分拡大側面断面図。
【発明を実施するための形態】
【００１３】
以下に、本発明に係る浄化装置の具体的な構成について図面を参照しながら説明する。
【００１４】
図１〜図４に示すように、浄化装置１は、河川水や雨水などの汚水２を一時的に貯留しておくための上部に開口を有する中空矩形箱型状の貯水槽３を地上に設置している。
【００１５】
貯水槽３は、左右側壁4,5の上端部に前後に伸延する保持板6,6を取付け、各保持板６に下向き凸状の保持溝７を前後に等しく間隔をあけて形成している。
【００１６】
また、貯水槽３は、左右側壁4,5の上端部に形成した保持板6,6の保持溝7,7の間に円柱棒状の支持体８を前後に等しく間隔をあけて複数個架設している。
【００１７】
各支持体８には、アルミニウム等の卑金属からなる可撓性を有する針金状の吊具９を左右に等しく間隔をあけて複数本吊下げている。ここで、各吊具９は、上端部を支持体８に前後回動自在に取付けるとともに、下端部を貯水槽３の底壁10から間隔をあけて貯水槽３の底部まで吊下げるようにしている。
【００１８】
各吊具９には、リング状のセラミックス11をリング状のスペーサ12を間に挟んで上下に等しく間隔をあけて挿通している。
【００１９】
このセラミックス11は、浄水機能を有する素材のものであればよいが、ここでは、ステアタイト磁器を用いている。また、ここでは、スペーサ12もステアタイト磁器を用いており、吊具９に直径の異なるリング状のセラミックス11とスペーサ12とを交互に挿通させた構造としている。
【００２０】
なお、貯水槽３は、柱台14の上部に載置したアルミニウム製の基台13の上部に設置している。浄水機能を有するセラミックス11としてステアタイト磁器を用いた場合には、基台13の材質としてアルミニウム等の卑金属を使用することで、セラミックス11による浄化作用を向上させることができる。同様に、吊具９としても卑金属を使用することで浄化作用を向上させることができる。
【００２１】
浄化装置１は、以上に説明したように構成しており、貯水槽３に貯留した汚水２を浄水機能を有するセラミックス11に接触させて汚水２の浄化を行うようにしている。
【００２２】
そして、上記浄化装置１では、汚水２を貯留する貯水槽３の左右側壁4,5の上端部間に複数の支持体８を前後に間隔をあけて架設し、支持体８に可撓性を有する針金状の複数の吊具９を左右に間隔をあけて貯水槽３の底部まで吊下げ、吊具９にリング状のセラミックス11を上下に間隔をあけて挿通させた構成となっている。
【００２３】
そのため、上記構成の浄化装置１では、貯水槽３の内部に多数のセラミックス11を上下前後左右に間隔をあけて配置させることができるので、貯水槽３の内部で汚水２とセラミックス11との接触を良好に行わせることができ、汚水２を良好に浄化することができる。
【００２４】
しかも、吊具９が可撓性を有しているために、汚水２の流動や外部からの振動などによって吊具９とともにセラミックス11を適度に揺らすことができ、これによっても汚水２とセラミックス11との接触が良好となって汚水２を良好に浄化することができる。
【００２５】
また、吊具９を貯水槽３の底部まで吊下げ、セラミックス11を貯水槽３の底部まで配置することで、貯水槽３に貯留した汚水２を全体的に均等に浄化することができる。
【００２６】
さらに、貯水槽３の左右側壁4,5の上端部に支持体８を保持するための保持溝７を前後に間隔をあけて複数形成することで、支持体８の取付けや取外しが容易なものとなり、交換作業やメンテナンス作業を容易に行うことができるとともに、貯水槽３の内部に吊るすセラミックス11の個数を増大させることができるので、汚水２をより一層良好に浄化することができる。
【符号の説明】
【００２７】
１  浄化装置                      ２  汚水
３  貯水槽                        4,5  左右側壁
６  保持板                        ７  保持溝
８  支持体                        ９  吊具
10  底壁                          11  セラミックス
12  スペーサ                      13  基台
14  柱台
【図１】
2011120963.tif 000003
【図２】
2011120963.tif 000004
【図３】
2011120963.tif 000005
【図４】
2011120963.tif 000006